(57)【特許請求の範囲】
【請求項１】
印刷・マーキングエンジンにおいてシート状印刷媒体を双方向に搬送する方法であって、
（ａ）単一の駆動モータを有する静止型の駆動デッキを設けるとともに、回転させるために前記モータを駆動させることと、
（ｂ）前記静止型の駆動デッキに配置されるとともに、それぞれ間隔を空けて配置された複数の駆動ロールを、一方向に回転させるために、前記駆動モータに接続することと、
（ｃ）第１及び第２のニップアイドラロールを、それぞれの前記駆動ロールの対向面に設けることと、
（ｄ）シート状印刷媒体をそれぞれ反対方向から前記第１および第２のニップアイドラロールへ供給するとともに、前記第１及び第２のニップアイドラロールを経由してそれぞれのシートを反対方向に搬送することと、を備え、
前記第１及び第２のニップアイドラロールを設けるステップは、前記第１のニップアイドラロールを、第１のアイドラデッキの駆動ロールのそれぞれに設けることと、前記第２のニップアイドラロールを、第２のアイドラデッキの駆動ロールのそれぞれに設けることを含み、
前記アイドラデッキを、それぞれ、前記静止型の駆動デッキの対向面に設けるとともに、詰まり除去のために、前記第１及び第２のアイドラデッキを前記静止型の駆動デッキから離間させるように反対方向に移動させる、搬送方法。
【請求項２】
印刷・マーキングエンジンにおいてシート状印刷媒体を双方向に移動させるための搬送
装置であって、
（ａ）一方向のみに回転可能な単一の駆動モータを有する、静止型の駆動デッキと、
（ｂ）前記静止型の駆動デッキに配置されるとともに、所定方向に回転させられるために前記モータに接続される、複数の駆動ロールと、
（ｃ）それぞれの前記駆動ロールの対向面に配置される、第１及び第２のニップアイドラロールと、
を備え、
シート状印刷媒体をそれぞれ反対方向から前記第１および第２のニップアイドラロールへ供給する際に、それぞれのシートは、前記第１及び第２のニップアイドラロールを経由して反対方向に搬送され、
前記第１及び第２のニップアイドラロールは、それぞれ、前記静止型の駆動デッキの対向面に配置された第１及び第２のアイドラデッキに設けられ、
前記第１及び第２のアイドラデッキは、それぞれ、詰まり除去のために、前記駆動ロールから離間するように反対方向に移動可能である、搬送装置。
【請求項３】
請求項２に記載の搬送装置であって、少なくとも２つの前記駆動ロールは、共通ベルトによって前記モータから駆動力を受ける、搬送装置。
【請求項４】
請求項２に記載の搬送装置であって、前記第１及び第２のアイドラデッキは回動する、搬送装置。
【発明の詳細な説明】
【技術分野】
【０００１】
本開示は、印刷媒体、特にコピー機およびオフィスプリンタで使用されるシート状の印刷媒体の搬送に関連する。本開示は、例えば複数の印刷エンジンでの印刷を並列処理するため、および印刷媒体シートの両面への両面印刷のための構成を持つ印刷エンジンでのデジタル画像印刷に特に関連する。
【背景技術】
【０００２】
並列処理のための構成を持つ印刷エンジンでは、別の印刷エンジンで同時に印刷を行うため、シート状印刷媒体の搬送では一つ以上の印刷エンジンを迂回することが多い。しかし、両面印刷のためシート状印刷媒体の移動方向を逆転させるための設備も、搬送路に含まれなければならない。ゆえに、指定の経路を通ってシート状印刷媒体を移動させるためシートを進ませる搬送装置では、双方向移動が行われなければならない。従来は、このような印刷シート媒体の双方向移動は媒体経路に配置された個々の搬送装置によって行われており、一つの搬送装置が迂回および片面印刷のためなど正方向での印刷シート媒体の移動を行うように構成され、別の搬送装置が両面印刷のためなど逆方向での印刷シート媒体の移動を行うように配置されている。搬送装置は一般的に、個々の単一回転方向駆動モータにより動力供給されるベルトによって駆動される一連のニップローラを各々が包含する。ゆえに、印刷エンジンにおいて双方向印刷シート媒体を移動させる機能は、複数の印刷シート媒体搬送装置の必要があるため、いくらか複雑で高コストである。
【発明の概要】
【発明が解決しようとする課題】
【０００３】
そのため、迂回性能を持ち、印刷シート媒体の両面に両面印刷を行う並列印刷のためのシート搬送デジタル印刷エンジン構成の複雑性およびコストを低下させることが望まれている。
【課題を解決するための手段】
【０００４】
本開示には、搬送または印刷の経路を通ってシートを移動させるための、特にデジタル印刷エンジンでの双方向搬送のための印刷シート媒体搬送装置が記載される。アイドラロールを反対方向に回転させるため、対向して配置されたアイドラロールを各々が有する複数の離間した駆動ロールに接続されたベルトを駆動するための、一方向に回転する単一の駆動モータが、単一の双方向搬送装置で使用される。駆動ロールと対向して配置されたアイドラロールとの組合せは、対向して配置されたニップへ印刷シート媒体が供給される時に、印刷シート媒体を両方向に前進させることのできる一対のニップを形成する。こうして本開示の双方向印刷搬送装置は、別々に駆動される二つの単方向印刷シート媒体搬送装置に置き換わることで、設備の複雑性とコストを低下させるのである。
【図面の簡単な説明】
【０００５】
【図１】多数の印刷エンジンを備えるデジタル印刷構成の絵画図であって、印刷と迂回搬送の両方のための印刷シート媒体の移動経路を示す。
【図２】本開示の双方向搬送装置の斜視図である。
【図３】後部つまりモータ駆動側から見た図２の搬送装置の斜視図である。
【図４】図２の搬送装置を通る双方向用紙経路を示す図である。
【図５】本開示の搬送装置の２種類の駆動ロールおよび駆動ロールの両側に配置された関連のアイドラローラの斜視図である。
【図６】図５の駆動ロールおよびアイドラの一つの詳細な拡大図である。
【図７Ａ】先行技術による印刷シート媒体搬送装置の単方向ニップ構成を示す、図６と類似した図である。
【図７Ｂ】先行技術による印刷シート媒体搬送装置の単方向ニップ構成を示す、図６と類似した図である。
【図８】先行技術の設備の複数の単方向印刷シート媒体搬送装置の構成を示す、図１と類似した図である。
【図９】アイドラローラデッキが開いた状態の、本開示による搬送装置の側面図である。
【図１０】開状態における図９の搬送装置の斜視図である。
【発明を実施するための形態】
【０００６】
図８を参照すると、デジタル印刷エンジンの周知の構成が全体として１で示され、黒色矢印２に隣接する点線で表されているようにエンジン１の印刷機能のための流入印刷シート媒体経路を含む。エンジン１を迂回し、排紙ローラ４を通って外側へ印刷シート媒体を搬送するための、黒色矢印３に隣接する輪郭点線で示された印刷媒体シート迂回路がエンジン１に含まれる。印刷機能のため、印刷シート媒体は印刷エンジンを通って処理され、次に、黒色矢印５に隣接する輪郭点線で示された経路に沿って送られる。印刷エンジンは、原色を塗布してカラー印刷を実施するための、全体が６で表された多数の印刷ヘッドまたは光受容器を含む。印刷機能を終了して矢印５で示された方向に経路に沿って移動すると、片面印刷の場合には印刷媒体がローラ４から排出される。両面印刷を実施するには、経路２を通って再循環して印刷シート媒体の裏面に印刷するため、隣接の黒色矢印７で示されたように輪郭点線で示された経路に沿って印刷シート媒体が逆方向に搬送される。印刷と搬送のいずれかのモードで印刷シート媒体の移動を実施するための搬送装置は、連続配置された複数の搬送装置９，１０を収容するボックス８内に示され、搬送装置９の一つは、点線矢印１１で示されたように正方向での印刷シート媒体の移動を実施するように機能する。これに対して、別の搬送装置１０は、両面印刷を実施するため、点線矢印１２で示された逆方向での印刷シート媒体の移動を実施するように機能する。搬送装置９，１０の各々は、それぞれ１７，１８で表された個々の駆動モータを有する。
【０００７】
図７Ａを参照すると、図８の先行技術による搬送装置９のニップローラ駆動構成が示され、印刷シート媒体（用紙）を正方向に前進させるため、ベルト駆動による駆動ロール１３がアイドラローラ１４と協働する。
【０００８】
図７Ｂを参照すると、図８の先行技術による搬送装置１０のニップローラ構成が示され、印刷シート媒体（用紙）を逆方向に前進させるため、モータ駆動による駆動ロール１５がアイドラロール１６と協働する。
【０００９】
図１を参照すると、本開示による、全体として２０で示されたデジタル印刷エンジンは、入口ニップローラ２１を介して給紙装置（不図示）から印刷シート媒体を受け取り、印刷エンジンに用紙を供給するため黒色点線矢印２２に隣接する点線で示された経路を通り、黒色点線矢印２６で表された輪郭点線で示された経路に沿って用紙を出力する。印刷エンジン２０は、全体として２４で示されたカラー印刷のための複数の印刷ヘッドまたは光受容器を含む。用紙は、片面印刷の場合にはニップローラ２８から排出されるか、用紙の裏面への両面印刷の場合には、黒色点線矢印３０で示された逆経路に沿って送られて、矢印２２に隣接する経路を再循環されるかのいずれかである。印刷エンジン２０はまた、３２で表された黒色矢印に隣接する輪郭点線経路に沿って印刷機能を迂回するための経路を含んでもよく、その場合には、用紙は入口から排紙ローラ２８へ直進する。印刷エンジン２０は、搬送装置３４の縮小斜視図として図１に図示された単一駆動モータ３６により双方向の用紙供給移動を実施するように機能する、全体として３４で示された点線のボックスに包囲された単一の搬送装置を有する。
【００１０】
図２を参照すると、機構内で印刷シート媒体の双方向移動を実施するための単一回転方向駆動モータ３６を一つ備える、本開示の双方向搬送装置３４が示されている。
【００１１】
図３を参照すると、モータ側からの斜視図で搬送装置３４が示され、シャフトプーリ４４，４６をそれぞれ駆動するためモータ駆動シャフト４０と嵌合するベルト４２を備えるモータ駆動シャフト４０を示すようにカバーが取り外されている。シャフトプーリ４６と、離間した第３シャフトプーリ４８とに、第２ベルト４７が配置されている。
【００１２】
図３，５，９，１０を参照すると、プーリ４４，４６，４８に駆動されるシャフトが取り付けられたプラットフォームまたはデッキ５４に装着されたプレート５２に、双方向搬送装置３４のモータ３６が取り付けられている。軸方向に離間した複数の駆動ロール６０，６２がそれぞれ取り付けられた駆動シャフト５６，５８には、シャフトプーリ４６，４８がそれぞれ接続されている。
【００１３】
シャフト５６には６３，６４、シャフト５８には６６，６８とそれぞれ表されたアイドラロールが、駆動ロール６０，６２の両側に配置されている。シャフト５８用の一組のアイドラロールが図６に詳細に示されており、黒色矢印は双方向用紙供給の経路を示す。
【００１４】
それぞれシャフト５６，５８のためのアイドラローラ６４，６８と、同様にプーリ４４に接続されたシャフトに設けられたアイドラローラが上方プラットフォーム７０に取り付けられるモジュール構造を、搬送装置３４は有する。アイドラローラ６３，６６とプーリ４４用の同様のアイドラローラとは、下方プラットフォームまたはデッキ７２に取り付けられ、プラットフォーム７０，７２は詰まり除去のため駆動ロールデッキ５４から開けられる。
【００１５】
こうして本開示では、一方向に回転する単一駆動モータのみにより印刷シート媒体の双方向移動を行う双方向給紙印刷媒体搬送装置について記載した。このように本開示の搬送装置は、双方向の用紙搬送が必要とされるシート状印刷媒体を使用するデジタル印刷エンジンの複雑性を緩和するとともにコストを削減する。
【符号の説明】
【００１６】
１  デジタル印刷エンジン、２  経路、３  迂回路、４  排紙ローラ、５  経路、６  印刷ヘッド、８  ボックス、９，１０  搬送装置、１１  正方向、１２  逆方向、１３  駆動ロール、１４  アイドラローラ、１５  駆動ロール、１６  アイドラロール、１７，１８  駆動モータ、２０  デジタル印刷エンジン、２１  入口ニップローラ、２２  経路、２４  印刷ヘッド、２６  経路、２８  排紙ニップローラ、３０  逆経路、３２  迂回路、３４  ボックス／双方向搬送装置、３６  駆動モータ、４０  モータ駆動シャフト、４２  ベルト、４４，４６，４８  シャフトプーリ、４７  第２ベルト、５２  プレート、５４  プラットフォーム／デッキ、５６，５８  駆動シャフト、６０，６２  駆動ロール、６３，６４，６６，６８  アイドラロール、７０  上方プラットフォーム、７２  下方プラットフォーム。
【図１】
0005042271.tif 000002
【図２】
0005042271.tif 000003
【図３】
0005042271.tif 000004
【図４】
0005042271.tif 000005
【図５】
0005042271.tif 000006
【図６】
0005042271.tif 000007
【図７Ａ】
0005042271.tif 000008
【図７Ｂ】
0005042271.tif 000009
【図８】
0005042271.tif 000010
【図９】
0005042271.tif 000011
【図１０】
0005042271.tif 000012